(57)【要約】【課題】シャッタ速度の高速化を阻害することなく、レンズ鏡筒を大径化せずに沈胴時の光軸方向の寸法をより短縮する。【解決手段】非撮影時にボディ内に収納される沈胴式のレンズ鏡筒22と、レンズ鏡筒22を構成する複数の光学レンズ中、最後部の光学レンズのさらに後方に配置され、開口を有するユニットベース部材34ａに対して複数枚のシャッタ羽根34ｂ，34ｂ…を取付け、電磁駆動によりシャッタ羽根34ｂ，34ｂ…を開閉するシャッタユニット34とを備え、レンズ鏡筒22の沈胴時にシャッタ羽根34ｂ，34ｂ…を全開してレンズ鏡筒22を構成する複数の光学レンズ中の少なくとも一部を開口内に位置させる第１の状態と、レンズ鏡筒22を装置本体外に繰出した際にシャッタ羽根34ｂ，34ｂ…を上記第１の状態より閉じて必要なシャッタ速度で開閉する第２の状態とを選択的に切換える。【選択図】      図４
2005308990.tif 000002
【特許請求の範囲】
【請求項１】
非撮影時に装置本体内に収納される沈胴式のレンズ鏡筒と、
このレンズ鏡筒を構成する複数の光学レンズ中、最後部の光学レンズのさらに後方に配置され、開口を有するユニットベースに対して複数枚のシャッタ羽根を取付け、電磁駆動により上記シャッタ羽根を開閉するシャッタユニットと、
上記レンズ鏡筒の沈胴時に上記シャッタ羽根を全開して上記レンズ鏡筒を構成する複数の光学レンズ中の少なくとも一部を上記開口内に位置させる第１の状態と、上記レンズ鏡筒を装置本体外に繰出した際に上記シャッタ羽根を上記第１の状態より閉じて必要なシャッタ速度で開閉する第２の状態とを選択的に切換えるシャッタ制御手段と
を具備したことを特徴とする撮像装置。
【請求項２】
上記シャッタユニットは、上記第１の状態でユニットベースを分割して開口部を広げることを特徴とする請求項１記載の撮像装置。
【請求項３】
非撮影時に装置本体内に収納される沈胴式のレンズ鏡筒と、このレンズ鏡筒を構成する複数の光学レンズ中、最後部の光学レンズのさらに後方に配置され、開口を有するユニットベースに対して複数枚のシャッタ羽根を取付け、電磁駆動により上記シャッタ羽根を開閉するシャッタユニットとを備えた撮像装置のレンズユニット制御方法であって、
上記レンズ鏡筒の沈胴時に上記シャッタ羽根を全開して上記レンズ鏡筒を構成する複数の光学レンズ中の少なくとも一部を上記開口内に位置させる第１の状態と、上記レンズ鏡筒を装置本体外に繰出した際に上記シャッタ羽根を上記第１の状態より閉じて必要なシャッタ速度で開閉する第２の状態とを選択的に切換えるシャッタ制御工程を有したことを特徴とするレンズユニット制御方法。
【発明の詳細な説明】
【技術分野】
【０００１】
本発明は、沈胴式のレンズユニットを有する撮像装置及びレンズユニット制御方法に関する。
【背景技術】
【０００２】
従来より、銀塩フィルムを用いるカメラ（以下「銀塩カメラ」と称する）と画像結果を電子データとして取得するデジタルカメラとを問わず、携帯性を優先したコンパクトタイプのカメラでは、非撮影時にレンズ鏡筒をカメラ本体内に収納する沈胴式のものが多く採用されている。
【０００３】
図８は、シャッタがレンズ系の後部に位置しているビハインド・シャッタ・タイプの沈胴式レンズユニットの構成を例示するものである。図８（Ａ）がレンズ系を繰出した撮影時、図８（Ｂ）が沈胴時のそれぞれ光学レンズとシャッタユニット、及び撮像素子であるＣＣＤの位置関係を示す。
【０００４】
すなわち、ここでは被写体側より第１群レンズ１１ａ、第２群レンズ１１ｂ、第３群レンズ１１ｃの計３群４枚から構成される光学レンズ系１１の後方にシャッタユニット１２が設けられる。
【０００５】
このシャッタユニット１２は、円形の開口を持つリング状のユニットベース部材１２ａに対し、例えば半月状の複数枚のシャッタ羽根１２ｂ，１２ｂ，‥‥が取り付けられ、これらシャッタ羽根１２ｂ，１２ｂ，‥‥が図示しない電磁機構により開閉駆動制御されるもので、このシャッタユニット１２の撮影光軸ＡＸに沿った後方側、所定位置にＣＣＤパッケージ１３が実装される。  
このＣＣＤパッケージ１３は、撮像素子であるＣＣＤ１３ａをシャッタユニット１２を介して光学レンズ系１１の結像面位置に固定配置したものである。
【０００６】
図８（Ａ）の撮影時に比して、図８（Ｂ）の沈胴時には光学レンズ系１１の各レンズ群１１ａ〜１１ｃを撮影光軸ＡＸに沿ってほとんど隙間なく隣接するように短縮することで、光学レンズ系１１を配したレンズ鏡筒全体の軸長を短縮し、ここでは図示しないカメラ本体内に収納可能とするものである。
【０００７】
なお、図８（Ｂ）中に示す間隔ｄ１は、シャッタユニット１２がＣＣＤパッケージ１３に対して固定実装されているために沈胴させることができないデッドスペースの撮影光軸ＡＸ方向の距離を示す。
【０００８】
また、ビハインド・シャッタ・タイプではなく、複数のレンズ間にシャッタユニットが配設されたビトウィン・シャッタ・タイプであるが、レンズ鏡筒を沈胴させる際に、シャッタバネをより大きい開かせる構成として、その開口部にレンズの一部が入り込む構成として、光軸方向の寸法を短縮し、レンズ鏡筒沈胴時の装置の薄型化を図ったものが考えられている。（例えば、特許文献１）
【特許文献１】特開２００３−１２１７２０号公報
【発明の開示】
【発明が解決しようとする課題】
【０００９】
上記図８で示したレンズユニットの構成では、上述した如くシャッタユニット１２がＣＣＤパッケージ１３に固定実装されているために光軸方向に沈胴に全く寄与しないデッドスペースを生じ、その分だけカメラ装置本体を薄型化することができないという不具合を生じる。
【００１０】
また、上記特許文献１は、ビトウィン・シャッタ・タイプのレンズシャッタでレンズの一部が入り込める程度の大きさの開口を有するものとしなければならず、特にビトウィン・シャッタ・タイプであることを考えると、沈胴時のレンズ鏡筒の光軸方向の寸法を短縮することはできるものの、反対に径方向の寸法はより大きくなってしまい、結果として装置全体の小型化には寄与しない。
【００１１】
加えて、シャッタユニットの開口を大きくすることで、シャッタ羽根が可動する範囲が大きくなり、レンズシャッタ機の特徴であるシャッタ速度の高速化が困難である点がより顕著に表れることが容易に考えられる。
【００１２】
本発明は上記のような実情に鑑みてなされたもので、その目的とするところは、シャッタ速度の高速化を阻害することなく、レンズ鏡筒を大径化せずに沈胴時の光軸方向の寸法をより短縮することが可能な撮像装置を提供することにある。
【課題を解決するための手段】
【００１３】
本願請求項１記載の発明は、非撮影時に装置本体内に収納される沈胴式のレンズ鏡筒と、このレンズ鏡筒を構成する複数の光学レンズ中、最後部の光学レンズのさらに後方に配置され、開口を有するユニットベースに対して複数枚のシャッタ羽根を取付け、電磁駆動により上記シャッタ羽根を開閉するシャッタユニットと、上記レンズ鏡筒の沈胴時に上記シャッタ羽根を全開して上記レンズ鏡筒を構成する複数の光学レンズ中の少なくとも一部を上記開口内に位置させる第１の状態と、上記レンズ鏡筒を装置本体外に繰出した際に上記シャッタ羽根を上記第１の状態より閉じて必要なシャッタ速度で開閉する第２の状態とを選択的に切換えるシャッタ制御手段とを具備したことを特徴とする。
【００１４】
請求項２記載の発明は、上記請求項１記載の発明において、上記シャッタユニットは、上記第１の状態でユニットベースを分割して開口部を広げることを特徴とする。
【００１５】
請求項３記載の発明は、非撮影時に装置本体内に収納される沈胴式のレンズ鏡筒と、このレンズ鏡筒を構成する複数の光学レンズ中、最後部の光学レンズのさらに後方に配置され、開口を有するユニットベースに対して複数枚のシャッタ羽根を取付け、電磁駆動により上記シャッタ羽根を開閉するシャッタユニットとを備えた撮像装置のレンズユニット制御方法であって、上記レンズ鏡筒の沈胴時に上記シャッタ羽根を全開して上記レンズ鏡筒を構成する複数の光学レンズ中の少なくとも一部を上記開口内に位置させる第１の状態と、上記レンズ鏡筒を装置本体外に繰出した際に上記シャッタ羽根を上記第１の状態より閉じて必要なシャッタ速度で開閉する第２の状態とを選択的に切換えるシャッタ制御工程を有したことを特徴とする。
【発明の効果】
【００１６】
請求項１記載の発明によれば、レンズ鏡筒を沈胴する第１の状態ではビハインドタイプのシャッタのシャッタ羽根を全開して光学レンズの少なくとも一部を開口内に位置させることで、レンズ鏡筒を大径化せずに光軸方向の寸法をより短縮するものとしながら、レンズ鏡筒を繰出して撮影を行なう第２の状態ではシャッタ羽根を閉じて必要なシャッタ速度で開閉させることで、シャッタ速度の高速化にも対応することができる。
【００１７】
請求項２記載の発明によれば、上記請求項１記載の発明の効果に加えて、第１の状態でシャッタ羽根を取付けたユニットベース自体を分割することで、結果としてシャッタ羽根をより開かせて開口部を広げるものとすることで、シャッタ羽根の開閉構造を２段階化する必要がなくなり、より簡略化することが可能となる。
【００１８】
請求項３記載の発明によれば、レンズ鏡筒を沈胴する第１の状態ではビハインドタイプのシャッタのシャッタ羽根を全開して光学レンズの少なくとも一部を開口内に位置させることで、レンズ鏡筒を大径化せずに光軸方向の寸法をより短縮するものとしながら、レンズ鏡筒を繰出して撮影を行なう第２の状態ではシャッタ羽根を閉じて必要なシャッタ速度で開閉させることで、シャッタ速度の高速化にも対応することができる。
【発明を実施するための最良の形態】
【００１９】
以下本発明をデジタルカメラに適用した場合の実施の一形態について図面を参照して説明する。
【００２０】
図１は、その外観構成を示すもので、ここでは主として前面及び上面の構成を示す。  
このデジタルカメラ２０は、略矩形の金属外装ボディ２１の前面に、レンズ鏡筒２２、セルフタイマランプ２３、光学ファインダ窓２４、マイクロホン部２５、及びストロボ発光部２６を配設し、上面の（ユーザにとって）右端側にズームレバー２７及びシャッタキー２８と電源キー２９を配する。
【００２１】
レンズ鏡筒２２は、焦点距離を無段階に可変する光学ズーム機能及びＡＦ機能を有し、電源オフ時及び再生モード時にはボディ２１に沈胴する。
【００２２】
ズームレバー２７は、シャッタキー２８を中心としたリングの前方側に一体に突出形成されたレバー状部材で、撮影モード時に上記ズーム機能によるズームアップ（望遠（Ｔ）側）／ダウン（広角（Ｗ）側）を回動指示するレバーであり、シャッタキー２８は、撮影モード時に撮影タイミングを指示する。
【００２３】
電源キー２９は、電源のオン／オフを指示する。
【００２４】
また、ここでは図示しないが、デジタルカメラ２０のボディ２１背面には、モードスイッチ、スピーカ部、メニューキー、十字キー、セットキー、光学ファインダ、ストロボチャージランプ、及び表示部等を配する。
【００２５】
さらにデジタルカメラ２０の底面には、これも図示しないが、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００２６】
次いで図２により上記デジタルカメラ２０の電子回路の機能構成を説明する。  
同図で、静止画像の撮影モードにおいては、モータ（Ｍ）３１の駆動により上記レンズ鏡筒２２内の撮影レンズを構成するレンズ光学系３２が移動されて、ズーム位置、合焦位置、及び絞り位置が可変される。
【００２７】
このレンズ光学系３２の撮影光軸後方に、モータ（Ｍ）３３の駆動により開閉駆動されるシャッタユニット３４を介して、撮像素子であるＣＣＤ３５が配置され、レンズ光学系３２で形成された光像が結像される。
【００２８】
このＣＣＤ３５は、タイミング発生器（ＴＧ）３６、垂直ドライバ３７によって走査駆動され、上記シャッタキー２８の操作によらないモニタ表示状態では一定のフレームレート、例えば３０［フレーム／秒］の周期毎に結像した光像に対応する光電変換出力を１画面分出力する。
【００２９】
この光電変換出力は、アナログ値の信号の状態でＲＧＢの各原色成分毎に適宜ゲイン調整された後に、サンプルホールド（Ｓ／Ｈ）回路３８でサンプルホールドされ、Ａ／Ｄ変換器３９でデジタルデータに変換され、カラープロセス回路４０で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ４１に出力される。
【００３０】
ＤＭＡコントローラ４１は、カラープロセス回路４０の出力する輝度信号Ｙ及び色差信号Ｃｂ，Ｃｒを、同じくカラープロセス回路４０からの複合同期信号、メモリ書込みイネーブル信号、及びクロック信号を用いて一度ＤＭＡコントローラ４１内部のバッファに書込み、ＤＲＡＭインタフェース（Ｉ／Ｆ）４２を介してバッファメモリとして使用されるＤＲＡＭ４３にＤＭＡ転送を行なう。
【００３１】
制御部４４は、ＣＰＵと、後述する上記レンズ鏡筒２２の沈胴状態に対応したシャッタユニット３４の開閉処理を含む該ＣＰＵで実行される動作プログラムを固定的に記憶したＲＯＭ、及びワークメモリとして使用されるＲＡＭ等により構成され、このデジタルカメラ２０全体の制御動作を司る。
【００３２】
しかして制御部４４は、上記輝度及び色差信号のＤＲＡＭ４３へのＤＭＡ転送終了後に、この輝度及び色差信号をＤＲＡＭインタフェース４２を介してＤＲＡＭ４３より読出し、ＶＲＡＭコントローラ４５を介してＶＲＡＭ４６に書込む。
【００３３】
デジタルビデオエンコーダ４７は、上記輝度及び色差信号をＶＲＡＭコントローラ４５を介してＶＲＡＭ４６より定期的に読出し、これらのデータを元にビデオ信号を発生して表示部４８に出力する。
【００３４】
この表示部４８は、上述した如くデジタルカメラ２０の背面側に設けられるもので、撮影モード時にはモニタ表示部（電子ファインダ）として機能し、デジタルビデオエンコーダ４７からのビデオ信号に基づいた表示を行なうことで、その時点でＶＲＡＭコントローラ４５から取込んでいる画像情報に基づく画像をリアルタイムに表示することとなる。
【００３５】
このように表示部４８にその時点での画像がモニタ画像としてリアルタイムに表示されている、所謂スルー画像の表示状態で、静止画撮影を行ないたいタイミングで上記シャッタキー２８を操作すると、トリガ信号を発生する。
【００３６】
制御部４４は、このトリガ信号に応じてその時点でＣＣＤ３５から取込んでいる１画面分の輝度及び色差信号のＤＲＡＭ４３へのＤＭＡ転送を取り止め、あらためて適正な露出条件に従った絞り値及びシャッタ速度でＣＣＤ３５を駆動して１画面分の起動及び色差信号を得てＤＲＡＭ４３へ転送し、その後にこの経路を停止し、記録保存の状態に遷移する。
【００３７】
この記録保存の状態では、制御部４４がＤＲＡＭ４３に書込まれている１フレーム分の輝度及び色差信号をＤＲＡＭインタフェース４２を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路４９に書込み、このＪＰＥＧ回路４９でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００３８】
そして、得た符号データを１画像のデータファイルとして該ＪＰＥＧ回路４９から読出し、このデジタルカメラ２０の記録媒体として着脱自在に装着されるメモリカード５０に書込む。
【００３９】
そして、１フレーム分の輝度及び色差信号の圧縮処理及びメモリカード５０への全圧縮データの書込み終了に伴なって、制御部４４はＣＣＤ３５からＤＲＡＭ４３への経路を再び起動する。
【００４０】
また、制御部４４には、キー入力部５１、音声処理部５２、及びストロボ駆動部５３が接続される。
【００４１】
キー入力部５１は、上述したズームレバー２７やシャッタキー２８、電源キー２９と、モードスイッチ、メニューキー、十字キー及びセットキー等から構成され、それらのキー操作に伴なう信号は直接制御部４４へ送出される。
【００４２】
音声処理部５２は、ＰＣＭ音源等の音源回路を備え、音声の録音時には上記マイクロホン部（ＭＩＣ）２５より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード５０へ送出する一方、音声の再生時にはメモリカード５０から送られてきた音声データファイルの圧縮を解いてアナログ化し、上述したデジタルカメラ２０の背面側に設けられるスピーカ部（ＳＰ）５４を駆動して、拡声放音させる。
【００４３】
ストロボ駆動部５３は、静止画像撮影時に図示しないストロボ用の大容量コンデンサを充電した上で、制御部４４からの制御に基づいて上記ストロボ発光部２６を閃光駆動する。
【００４４】
しかるに、静止画像ではなく動画像の撮影がモード選択されている場合には、１回目のシャッタキー２８が操作された時点で、上述した静止画データを取得してＪＰＥＧ回路４９でデータ圧縮し、メモリカード５０へ記録するという一連の動作を適宜フレームレート、例えば３０［フレーム／秒］で連続して実行するものとして開始し、該シャッタキー２８が２回目に操作されるか、または所定の制限時間、例えば３０秒が経過した時点でそれら一連の静止画データファイルを一括してモーションＪＰＥＧのデータファイル（ＡＶＩファイル）として設定し直す。
【００４５】
また、再生モード時には、制御部４４がメモリカード５０に記録されている画像データを選択的に読出し、ＪＰＥＧ回路４９で撮影モード時にデータ圧縮した手順と全く逆の手順で圧縮されている画像データを伸長し、伸長した画像データをＤＲＡＭインタフェース４２を介してＤＲＡＭ４３に保持させた上で、このＤＲＡＭ４３の保持内容をＶＲＡＭコントローラ４５を介してＶＲＡＭ４６に記憶させ、このＶＲＡＭ４６より定期的に画像データを読出してビデオ信号を発生し、上記表示部４８で再生出力させる。
【００４６】
選択した画像データが静止画像ではなく動画像であった場合、選択した動画像ファイルを構成する個々の静止画データの再生を時間的に連続して実行し、最後の静止画データの再生を終了した時点で、次に再生の指示がなされるまで先頭に位置する静止画データのみを用いて再生表示する。
【００４７】
次に上記実施の形態の動作について説明する。  
なお、以下に示す各処理は、主として制御部４４が予め固定記憶したプログラムに基づいて静止画の撮影モード時に実行するものである。
【００４８】
また、本実施の形態においては上記シャッタキー２８が２段階のストローク操作で動作し、基本的な動作として第１段階のストローク操作、一般に「半押し」と呼称される状態でＡＦ動作とＡＥ動作を実行して合焦状態と露出状態とをロックし、その後の第２段階のストローク操作、一般に「全押し」と呼称される状態で上記ロックした合焦状態及び露出状態による撮影を実行するものとする。
【００４９】
図３は、電源オフ状態から電源キー２９の操作により電源をオンして静止画像の撮影モードに移行する際の処理内容を一部抽出して示すものである。その当初には、電源キー２９が操作されるのを待機し（ステップＳ０１）、操作されたと判断した時点で、それまでの沈胴状態からモータ３１の駆動によりレンズ鏡筒２２を繰出して撮影位置まで移動させると共に（ステップＳ０２）、レンズ光学系３２の駆動によりそれまで全開状態であったシャッタユニット３４の各シャッタ羽根を、撮影に備えて所定の開位置にまで閉じる（ステップＳ０３）。
【００５０】
図４（Ａ）はこの撮影時（第２状態）でのレンズ鏡筒２２を構成するレンズ光学系３２とシャッタユニット３４、及び上記ＣＣＤ３５を配設実装したＣＣＤパッケージ６０の配置構成を例示するものである。
【００５１】
同図（Ａ）に示す如くレンズ光学系３２は、被写体側より第１群レンズ３２ａ、第２群レンズ３２ｂ、第３群レンズ３２ｃの計３群４枚から構成されるものとし、その後方にシャッタユニット３４が設けられる。
【００５２】
このシャッタユニット３４は、円形の開口を持つリング状のユニットベース部材３４ａに対し、例えば半月状の複数枚のシャッタ羽根３４ｂ，３４ｂ，‥‥が取り付けられ、これらシャッタ羽根３４ｂ，３４ｂ，‥‥が図示しない電磁機構、例えばステッピングモータにより開閉駆動制御されるもので、このシャッタユニット３４の撮影光軸ＡＸに沿った後方側、所定位置に上記ＣＣＤ３５を実装したＣＣＤパッケージ６０が設けられる。
【００５３】
この撮影位置においては、シャッタユニット３４は必要なシャッタ速度で開閉駆動されるべく、レンズ光学系３２の最後方の第３群レンズ３２ｃの枠体より若干狭めた開位置となるもので、当然ながらシャッタ羽根３４ｂ，３４ｂ，‥‥が開いて形成される開口部より、第３群レンズ３２ｃの最後端位置が撮影光軸ＡＸ上で若干前側に位置する。
【００５４】
したがって、シャッタ動作によりシャッタ羽根３４ｂ，３４ｂ，‥‥が全閉状態となっても第３群レンズ３２ｃは何ら物理的には干渉しない。
【００５５】
このような撮影状態において、上記制御部４４は再度の電源キー２９の操作により電源がオフされたか否かを判断し（ステップＳ０４）、操作されていなければその時点で選択されているレンズ光学系３２のズーム位置に対応した焦点距離でＡＦ処理とＡＥ処理を実行し、合焦位置を得て適正なフォーカス状態を設定すると共に、適正露出値を得て絞り値及びシャッタ速度を設定する（ステップＳ０５，Ｓ０６）。
【００５６】
その上で、該シャッタ速度がこのモニタ状態のフレームレートに対応した値、例えばフレームレートが３０［フレーム／秒］であれば１／３０［秒］を充分越える高い速度となるように調整してＣＣＤ３５から画像を得、得た画像データにより表示部４８でスルー画像を表示しながら（ステップＳ０７）、キー入力部５１のシャッタキー２８が半押し状態となったか否か（ステップＳ０８）を判断する、という処理を繰返し実行することで、電源キー２９が操作されるか、シャッタキー９が半押し状態となるのを待機する。
【００５７】
しかして、シャッタキー２８が半押し状態となるとステップＳ０８でこれを判断し、直前の上記ステップＳ０５のＡＦ処理で得た合焦位置にしたがって合焦位置をロックし（ステップＳ０９）、併せて直前の上記ステップＳ０６のＡＥ処理で得た適正な露出が得られる絞り値とシャッタ速度とをロックしておく（ステップＳ１０）。
【００５８】
この撮影条件をロックした状態から、さらにシャッタキー２８が全押し操作されたか否か（ステップＳ１１）、同シャッタキー２８がまだ半押し操作されているか否か（ステップＳ１２）を繰返し判断することで、シャッタキー２８が半押し操作されていることを確認しながら、全押し操作されるのを待機する。
【００５９】
ここで、シャッタキー２８の半押し操作が解除された場合には、ステップＳ１２でこれを判断して上記撮影条件のロックを解き、再び上記ステップＳ０４からの処理に戻る。
【００６０】
また、上記撮影条件をロックした状態から、シャッタキー２８が全押し操作されると、ステップＳ１１でこれを判断し、上記撮影条件をロックしたままの状態で撮影を実行して画像データを得る（ステップＳ１３）。
【００６１】
このとき、露光の終了タイミングに合わせてシャッタユニット３４の各シャッタ羽根３４ｂ，３４ｂ，‥‥が全閉状態となるように駆動制御するものとし、被写体側に強い光源が存在する場合のＣＣＤ３５でのスミアの発生を確実に防止する。
【００６２】
その後、取得した画像データを速やかにファイル化してメモリカード５０に記録保存し（ステップＳ１４）、以上で一連の撮影に関する処理を終了して、再び次の撮影に備えるべく上記ステップＳ０４からの処理に戻る。
【００６３】
また、上記ステップＳ０４で電源キー２９の操作により電源のオフが指示されたと判断した場合には、その時点でシャッタユニット３４のシャッタ羽根３４ｂ，３４ｂ，‥‥を全開状態とする、レンズ鏡筒２２の沈胴に備えた第１状態とした後に（ステップＳ１５）、レンズ鏡筒２２を沈胴させ（ステップＳ１６）、指示通り電源をオフして上記ステップＳ０１に戻り、次に電源キー２９が操作されるのを待機する。
【００６４】
図４（Ｂ）はこの沈胴時（第１状態）でのレンズ鏡筒２２を構成するレンズ光学系３２とシャッタユニット３４、及びＣＣＤパッケージ６０の配置構成を例示するものである。
【００６５】
この第１状態においては、シャッタユニット３４は撮影のための開閉動作を行なうものではなく、シャッタ羽根３４ｂ，３４ｂ，‥‥は最も開いた状態となって、レンズ光学系３２の最後方の第３群レンズ３２ｃが少なくともその枠体も含めて完全にその開口部内に入り込んだ状態となる。
【００６６】
図５はこのときのシャッタユニット３４のユニットベース部材３４ａと全開状態にあるシャッタ羽根３４ｂ，３４ｂ，‥‥を抽出して例示するものであり、シャッタ羽根３４ｂ，３４ｂ，‥‥が図中に破線で示す第２状態での開位置より大幅に開いていることを示している。
【００６７】
このように、レンズ鏡筒２２をボディ２１に対して沈胴する第１の状態では、レンズ鏡筒２２の光軸後方に位置するビハインドタイプのシャッタユニット３４のシャッタ羽根３４ｂ，３４ｂ，‥‥を全開状態とし、レンズ鏡筒２２を構成するレンズ光学系３２の少なくとも一部をその開口内に位置させることで、シャッタユニット３４がＣＣＤパッケージ６０に対して固定実装されているものとしても、レンズ鏡筒２２を沈胴させることができないデッドスペースが全く存在せず、その分だけレンズ鏡筒２２を大径化せずに光軸方向の寸法をより短縮することができる。
【００６８】
加えて、レンズ鏡筒２２を繰出して撮影を行なう第２の状態では、シャッタユニット３４のシャッタ羽根３４ｂ，３４ｂ，‥‥を閉じて必要なシャッタ速度で開閉させることで、シャッタ速度の高速化にも対応することができる。
【００６９】
なお、上記実施の形態ではシャッタユニット３４のユニットベース部材３４ａが固定であり、シャッタ羽根３４ｂ，３４ｂ，‥‥のみが開閉制御されるものとして説明したが、シャッタ羽根３４ｂ，３４ｂ，‥‥を取り付けた枠体であるユニットベース部材３４ａ自体が必要により分割する構造を採るものとしてもよい。
【００７０】
以下、そのような構造を本実施の形態のシャッタユニット３４の他の構造例として説明する。  
図６（Ａ）はレンズ鏡筒２２を繰出して撮影を行なう第２の状態で、シャッタユニット３４のシャッタ羽根３４ｂ，３４ｂ，‥‥が最も開いている場合を例示するものであり、図６（Ｂ）はレンズ鏡筒２２を沈胴させた第１の状態で、同じくシャッタ羽根３４ｂ，３４ｂ，‥‥が最も開いている場合を例示するものである。
【００７１】
これらの図からもわかるように、ユニットベース部材３４ａがヒンジ機構３４ｃによりユニットベース部材３４ａ１と３４ａ２とに２分割するものとし、これらユニットベース部材３４ａ１，３４ａ２に取り付けられた各シャッタ羽根３４ｂ，３４ｂ，‥‥の開位置は変わらないものとした。
【００７２】
図７（Ａ）は撮影時（第２状態）でのレンズ鏡筒２２を構成するレンズ光学系３２とシャッタユニット３４、及び上記ＣＣＤ３５を配設実装したＣＣＤパッケージ６０の配置構成を例示するものである。
【００７３】
この場合、シャッタユニット３４のユニットベース部材３４ａ１，３４ａ２は上記図６（Ａ）でも示した通りリング形状となり、レンズ光学系３２を構成する最高峰の第３群レンズ３２ｃのさらに後方にシャッタ羽根３４ｂ，３４ｂ，‥‥が位置するものとなる。
【００７４】
一方、図７（Ｂ）に示す沈胴時（第１状態）には、ユニットベース部材３４ａが上記図６（Ｂ）で示した如く２つの部材３４ａ１，３４ａ２に分割してヒンジ機構３４ｃより開いた状態となる。この状態では当然ながら撮影のためのシャッタ羽根３４ｂ，３４ｂ，‥‥を開閉動作させることは不可能であり、レンズ光学系３２の最後方の第３群レンズ３２ｃが少なくともその枠体も含めて完全にその開口部内に入り込んだ状態となる。
【００７５】
このように、シャッタ羽根３４ｂ，３４ｂ，‥‥を取付けたユニットベース部材３４ａ自体を分割可能な構造とすることで、結果としてシャッタ羽根３４ｂ，３４ｂ，‥‥の取付角度を変えることなくより開口部を広げることができ、シャッタ羽根３４ｂ，３４ｂ，‥‥の開閉構造を２段階化する必要がなくなり、より構造を簡略化することが可能となる。
【００７６】
なお、上記実施の形態はデジタルカメラで静止画撮影を行なう場合について説明したが、本発明はこれに限るものではなく、撮影する画像が静止画と動画のいずれであるか、デジタルカメラであるか銀塩カメラであるかに拘わらず、沈胴式のレンズ鏡筒とビハインドタイプのレンズシャッタを有するすべてのカメラ装置とその制御方法に適用することが可能である。
【００７７】
その他、本発明は上記実施の形態に限らず、その要旨を逸脱しない範囲内で種々変形して実施することが可能であるものとする。
【００７８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００７９】
【図１】本発明の実施の一形態に係るデジタルカメラの外観構成を示す斜視図。
【図２】同実施の形態に係る電子回路の機能構成を示すブロック図。
【図３】同実施の形態に係る撮影モード時のレンズ鏡筒及びシャッタユニットの移動制御を含む処理内容を示すフローチャート。
【図４】同実施の形態に係るレンズ鏡筒とシャッタユニット及びＣＣＤパッケージの配置構造を例示する断面図。
【図５】同実施の形態に係る第１の状態のシャッタユニットのみを抽出して示す図。
【図６】同実施の形態に係るシャッタユニットの他の構造例を示す図。
【図７】同実施の形態に係るレンズ鏡筒とシャッタユニット及びＣＣＤパッケージの他の配置構造を例示する断面図。
【図８】一般的なビハインド・シャッタ・タイプの沈胴式レンズユニットの構成を例示する断面図。
【符号の説明】
【００８０】
２０…デジタルカメラ、２１…ボディ、２２…レンズ鏡筒、２３…セルフタイマランプ、２４…光学ファインダ窓、２５…マイクロホン部（ＭＩＣ）、２６…ストロボ発光部、２７…ズームレバー、２８…シャッタキー、２９…電源キー、３１…モータ（Ｍ）、３２…レンズ光学系、３２ａ…第１群レンズ、３２ｂ…第２群レンズ、３２ｃ…第３群レンズ、３３…モータ（Ｍ）、３４…シャッタユニット、３４ａ，３４ａ１，３４ａ２…ユニットベース部材、３４ｂ…シャッタ羽根、３４ｃ…ヒンジ機構、３５…ＣＣＤ、３６…タイミング発生器（ＴＧ）、３７…垂直ドライバ、３８…サンプルホールド（Ｓ／Ｈ）回路、３９…Ａ／Ｄ変換器、４０…カラープロセス回路、４１…ＤＭＡコントローラ、４２…ＤＲＡＭインタフェース（Ｉ／Ｆ）、４３…ＤＲＡＭ、４４…制御部、４５…ＶＲＡＭコントローラ、４６…ＶＲＡＭ、４７…デジタルビデオエンコーダ、４８…表示部、４９…ＪＰＥＧ回路、５０…メモリカード、５１…キー入力部、５２…音声処理部、５３…ストロボ駆動部、５４…スピーカ部（ＳＰ）、６０…ＣＣＤパッケージ、ＡＸ…撮影光軸。
【図１】
2005308990.tif 000003
【図２】
2005308990.tif 000004
【図３】
2005308990.tif 000005
【図４】
2005308990.tif 000006
【図５】
2005308990.tif 000007
【図６】
2005308990.tif 000008
【図７】
2005308990.tif 000009
【図８】
2005308990.tif 000010